(57)【要約】【課題】後方領域からの体液の漏れを防止するとともに、装着時の違和感を低減した吸収性物品を提供する。【解決手段】透液性のトップシートと、不透液性のバックシートと、両シートの間に設けられた吸収体とを有し、前後方向に所定の長さと前記前後方向に直交する方向に所定の幅を有する吸収性物品であって、前記吸収体は、装着時に装着者の股間に対応する股間対応領域と、その後方に位置する後方領域とを有し、前記吸収体は、前記後方領域に、幅方向に延在する帯状の肉厚部を有し、前記肉厚部は、幅方向中央から側部に向かって、漸次又は段階的に厚みが大きくなるように形成されている。【選択図】図１
2020044252.tif 000002
【特許請求の範囲】
【請求項１】
透液性のトップシートと、不透液性のバックシートと、両シートの間に設けられた吸収体とを有し、前後方向に所定の長さと前記前後方向に直交する方向に所定の幅を有する吸収性物品であって、
前記吸収体は、装着時に装着者の股間に対応する股間対応領域と、その後方に位置する後方領域とを有し、
前記吸収体は、前記後方領域に、幅方向に延在する帯状の肉厚部を有し、
前記肉厚部は、幅方向中央から側部に向かって、漸次又は段階的に厚みが大きくなるように形成されている、吸収性物品。
【請求項２】
前記肉厚部は、後方に向かって、漸次又は段階的に厚みが大きくなるように形成されている、請求項１に記載の吸収性物品。
【請求項３】
前記肉厚部は、当該肉厚部の他の部分より剛性の高い高剛性部を有し、
前記高剛性部は、前記肉厚部の幅方向中央に設けられた中央高剛性部を含む、請求項１又は２に記載の吸収性物品。
【請求項４】
前記高剛性部は、前記幅方向の端縁の少なくとも一方に設けられた端縁高剛性部を含む、請求項３に記載の吸収性物品。
【請求項５】
前記肉厚部は、前記吸収体の後端に沿って形成されている、請求項１から４のいずれか一項に記載の吸収性物品。
【請求項６】
前記肉厚部は、前記トップシート側に突出している、請求項１から５のいずれか一項に記載の吸収性物品。
【発明の詳細な説明】
【技術分野】
【０００１】
本発明は、吸収性物品に関する。
【背景技術】
【０００２】
吸収性物品としては、パッドタイプ、テープタイプ、パンツタイプ等の形態の使い捨ておむつの他、生理用ナプキン、失禁用パッド等が知られている。このような吸収性物品の構成としては、透液性のトップシートと、不透液性のバックシートと、両シート間に設けられた吸収体とを有するものが一般的である。
【０００３】
吸収性物品においては、体液を吸収体に確実に吸収させ、外部に漏らさないようにすることが重要である。特に、仰向けで使用されることが多い吸収性物品の場合には、後方の領域で体液の漏れが起こりやすいことから、後方領域からの体液の漏れをより確実に防止することが求められている。
【０００４】
後方領域における体液の漏れ防止に配慮した構成としては、例えば、特許文献１に、後面部での横方向の中央領域に肉厚部が設けられ、この肉厚部がお尻の割れ目に入り込むようにした構成が記載されている。これにより、後方からの漏れが生じにくくなっている。
【先行技術文献】
【特許文献】
【０００５】
【特許文献１】特開２０００−３４２６２６号公報
【発明の概要】
【発明が解決しようとする課題】
【０００６】
しかしながら、特許文献１に記載の吸収性物品が、装着者が仰向けに寝た状態で使用される場合等には、横方向中央の肉厚部が身体に当たりやすく、違和感の原因となることがあった。
【０００７】
上記の点に鑑みて、本発明の一態様は、後方領域からの体液の漏れを防止するとともに、装着時の違和感を低減した吸収性物品を提供することを課題とする。
【課題を解決するための手段】
【０００８】
本発明の第一の態様は、透液性のトップシートと、不透液性のバックシートと、両シートの間に設けられた吸収体とを有し、前後方向に所定の長さと前記前後方向に直交する方向に所定の幅を有する吸収性物品であって、前記吸収体は、装着時に装着者の股間に対応する股間対応領域と、その後方に位置する後方領域とを有し、前記吸収体は、前記後方領域に、幅方向に延在する帯状の肉厚部を有し、前記肉厚部は、幅方向中央から側部に向かって、漸次又は段階的に厚みが大きくなるように形成されている。
【０００９】
上記第一の態様によれば、後方領域の、幅方向に延在する帯状の肉厚部によって、後方に移行してきた体液を堰き止め、また吸収させることができる。これにより、後方領域からの漏れを防止することができる。
【００１０】
また、本態様では、肉厚部は、幅方向中央から側部に向かって、漸次又は段階的に厚みが大きくなるように形成されている。すなわち、仰向けに寝た場合に最も力がかかりやすい幅方向中央の厚みが小さくなっている。そのため、装着者が仰向けに寝た状態が継続しても、肉厚部によって生じ得る違和感を軽減することができる。
【００１１】
本発明の第二の態様では、前記肉厚部は、後方に向かって、漸次又は段階的に厚みが大きくなるように形成されている。
【００１２】
上記第二の態様によれば、肉厚部による違和感をさらに軽減することができる。
【００１３】
本発明の第三の態様では、前記肉厚部は、当該肉厚部の他の部分より剛性の高い高剛性部を有し、前記高剛性部は、前記肉厚部の幅方向中央に設けられた中央高剛性部を含む。
【００１４】
上記第三の態様によれば、中央高剛性部によって、肉厚部の幅方向中央の部分が潰れにくくなっている。そのため、例えば装着者が仰向けに寝た状態が長時間続き、肉厚部に継続的に力がかかった場合等でも、幅方向中央における肉厚部の厚みをある程度維持することができ、肉厚部が体液を堰き止める上述の効果を持続させることができる。
【００１５】
本発明の第四の態様では、前記高剛性部は、前記幅方向の端縁の少なくとも一方に設けられた端縁高剛性部を含む。
【００１６】
上記第四の態様によれば、端縁高剛性部によって、肉厚部の端縁の部分が潰れにくくなっている。そのため、例えば装着者が横向きに寝た状態が長時間続いた場合等でも、端縁においても肉厚部の厚みをある程度維持することができ、肉厚部が体液を堰き止める効果を持続させることができる。
【００１７】
本発明の第五の態様では、前記肉厚部は、前記吸収体の後端に沿って形成されている。
【００１８】
上記第五の態様によれば、肉厚部による上記の体液を堰止める効果が発揮されるのは、吸収体の後端付近になるので、肉厚部が吸収体後端より前方にある場合に比べ、肉厚部に到達するまでの吸収体の量がより多くなるので、吸収体を有効に活用することができる。
【００１９】
本発明の第六の態様では、前記肉厚部は、前記トップシート側に突出している。
【００２０】
上記第六の態様によれば、肉厚部がトップシート側、すなわち装着者の肌に対向する側に突出しているので、吸収体のトップシート側の面上を伝ってきた体液も効果的に堰き止めることができる。
【発明の効果】
【００２１】
本発明の一態様によれば、後方領域からの体液の漏れを防止するとともに、装着時の違和感を低減した吸収性物品を提供することができる。
【図面の簡単な説明】
【００２２】
【図１】本発明の第１実施形態による吸収性物品を示す図である。
【図２】本発明の第１実施形態における吸収体を示す図である。
【図３】本発明の第２実施形態における吸収体を示す図である。
【図４】本発明の第３実施形態における吸収体を示す図である。
【図５】本発明の第４実施形態における吸収体を示す図である。
【図６】本発明の第４実施形態における吸収体の変形例を示す図である。
【図７】本発明の第５実施形態における吸収性物品の吸収体を示す図である。
【図８】本発明の第５実施形態における吸収体の変形例を示す図である。
【図９】図７に示す吸収体の製造方法について説明する図である。
【図１０】図８に示す吸収体の製造方法について説明する図である。
【発明を実施するための形態】
【００２３】
以下、図面を参照しながら、本発明の実施形態を詳説する。なお、各図面において、特に説明がない限り、同一の又は対応する構成については同一の符号を付して説明を省略する場合がある。また、分かり易さを優先させて、一部の寸法を大きく又は小さくして図示する場合がある。
【００２４】
まず、図１を参照して、本発明の一形態による吸収性物品の基本構造について説明する。図１（ａ）に、吸収性物品１の上面図を示し、また図１（ｂ）に、図１のＩ−Ｉ線断面図を示す。本形態では、例として、パッドタイプ使い捨ておむつ（尿取りパッド）について説明する。
【００２５】
図１に示すように、吸収性物品１は、透液性のトップシート２２と、不透液性のバックシート２１と、両シート２１、２２の間に設けられた吸収体３０とを有している。吸収性物品１を装着する際、トップシート２２側が肌側となり、バックシート２１側は、アウター（外側のおむつ）や下着等に固定される。
【００２６】
本形態では、吸収性物品１は、平面視で、全体として細長い形状を有している。すなわち、吸収性物品１は、第１方向（前後方向又は長手方向）Ｄ１に所定の長さを有し、第１方向Ｄ１と直交する第２方向（幅方向）Ｄ２に、上記長さより小さい所定の幅を有している。吸収性物品１の前方及び後方は、それぞれ装着時の腹側及び背側に対応する。
【００２７】
図示の形態では、吸収性物品１の平面視形状は、前後方向中心線ＣＬを対称線として線対称になっているが、必ずしも線対称でなくともよい。また、吸収性物品１の平面視形状は、上述のように、前後の領域に比べて幅が狭くなっている部分（括れ部分）を有するものでなくとも、前後方向Ｄ１にわたって幅が一定である矩形状等、他の形状とすることもできる。
【００２８】
また、形状以外の吸収性物品１の構成（各構成要素の材質、配置等）も、前後方向中心線ＣＬに対して線対称になっているが、必ずしも線対称でなくともよい。
【００２９】
図１に示すように、吸収性物品１は、前後方向Ｄ１で見て中央付近に、股間対応領域Ｃ１を有する。本明細書において、「股間対応領域」とは、装着時に装着者の股間（股下）に対応させる部分を意味する。股間対応領域Ｃ１は、例えば、吸収性物品の前後方向中央若しくはその近傍から前方の所定位置までの範囲であってもよいし、吸収性物品の前後方向中央の所定範囲であってよい。なお、図示の形態では、吸収性物品１には、幅が狭くなっている括れ部分が形成されているが、その括れ部分が形成されている領域の一部が股間対応領域Ｃ１となっている。また、股間対応領域Ｃ１の前方に隣接し、吸収性物品１の前端までの領域が前方領域Ｆ１となっており、股間対応領域Ｃ１の後方に隣接し、吸収性物品１の後端までの領域が後方領域Ｂ１となっている。本明細書において、後方領域Ｂ１は、装着時に装着者の臀部に対応させる部分となり、「臀部対応領域」とも呼ぶ。
【００３０】
吸収性物品１の全長（前後方向Ｄ１の長さ）は、３５０〜７００ｍｍ程度、全幅（幅方向Ｄ２の長さ）は１３０〜４００ｍｍ程度とすることができる。また、股間対応領域Ｃ１の前後方向Ｄ１の長さは１０〜１５０ｍｍ程度、前方領域Ｆ１の前後方向Ｄ１の長さは５０〜３５０ｍｍ程度、後方領域Ｂ１の前後方向Ｄ１の長さは５０〜３５０ｍｍ程度とすることができる。また、吸収性物品１が括れ部分有する場合、その最小幅は、吸収性物品１の全幅（括れ部分以外の部分における幅方向Ｄ２の長さ）の５０〜９０％程度であるのが好ましい。
【００３１】
図１に示すように、バックシート２１のサイズは、吸収体３０よりも大きくなっていてよい。そして、吸収体３０は、バックシート２１の範囲内に収まるように配置することができる。不透液性のバックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。なお、バックシート２１の外面は、不織布等の外装シートにより覆うこともできる。
【００３２】
トップシート２２は、図示の形態では、吸収体３０の幅方向Ｄ２の端部の一部を覆っていないが、吸収体３０全体を覆っていてもよい。トップシート２２としては、有孔又は無孔の不織布や穴あきプラスチックシートなどを用いることができる。不織布を構成する素材繊維としては、ポリエチレン、ポリプロピレン等のオレフィン系、ポリエステル系、アミド系等の合成繊維の他、レーヨン、キュプラ等の再生繊維、綿等の天然繊維を用いることができる。
【００３３】
なお、トップシート２２と吸収体３０との間には、中間シートを介在させることもできる。中間シートを設けることで、吸収体３０により吸収した体液の逆戻りを防止することができる。そのため、中間シートとしては、保水性が低く且つ液透過性の高い素材、例えば各種の不織布、メッシュフィルム等を用いるのが好ましい。
【００３４】
吸収体３０の前後方向Ｄ１の両端部では、バックシート２１とトップシート２２とが貼り合わされている。また、吸収性物品１の幅方向Ｄ２の両側部においては、バックシート２１と、吸収性物品１の両側部に前後方向Ｄ１に沿ってそれぞれ設けられたギャザーシート２４、２４とが貼り合されている。
【００３５】
ギャザーシート２４としては、プラスチックシート、メルトブローン不織布等使用することもできるが、肌への感触性が良好であるという観点から、不織布にシリコーン等によって撥水処理をしたものが好適に使用される。
【００３６】
図１に示すように、ギャザーシート２４、２４はそれぞれ、トップシート２２上に重ねられている。そして、各キャザーシート２４の幅方向Ｄ２の内側の端部には、前後方向に沿って伸張状態で固定された弾性部材が設けられていてもよい。この弾性部材は、糸状、紐状、帯状等に形成された、スチレン系ゴム、オレフィン系ゴム、ウレタン系ゴム、エステル系ゴム等から製造されたものであってよい。
【００３７】
また、ギャザーシート２４は、前方及び後方の端部並びに側縁部において、直下に配置されているトップシート２２、包装シート２６、又はバックシート２１と貼り合されていてよい。そして、上述のように、ギャザーシート２４の幅方向Ｄ２の内側の端部には弾性部材が設けられていれば、ギャザーシート２４の貼り合されていない部分（すなわち、幅方向Ｄ２の内側の領域であって、その両端部を除く領域）は、吸収性物品１の表側（トップシート側）に起立するギャザーとなることができる。ギャザーによって、側方への体液の漏れ等を防ぐことができる。なお、ギャザーシート２４、２４と、その下の構成要素とは、例えば、ホットメルト接着剤、ヒートシール、超音波シールによって貼り合せることができる。
【００３８】
吸収体３０は、前後方向Ｄ１で見て中央付近に、股間対応領域Ｃ２を有しており、この股間対応領域Ｃ２は、上述の吸収性物品１の股間対応領域Ｃ１に対応している。そして、股間対応領域Ｃ２の前方に隣接する、吸収体３０の前端までの領域が前方領域Ｆ２であり、股間対応領域Ｃ２の後方に隣接する、吸収体３０の後端までの領域が後方領域Ｂ２である。
【００３９】
吸収体３０の平面視形状は、吸収性物品１全体の平面視形状と同様に、括れ部分を有しているが、吸収性物品１の平面視形状にかかわらず、前後方向Ｄ１にわたって幅が一定である括れ部分のない矩形状等とすることもできる。なお、図示の形態のように吸収体３０が括れ部分を有する場合、括れ部分の最小幅は、括れ部分の前後における幅方向Ｄ２の長さの５０〜７５％程度とすることができる。また、吸収体３０が括れ部分を有する場合、括れ部分の少なくとも一部を含む股間対応領域Ｃ２は、図示のように、吸収体３０の前半分の領域に配置されていてもよいし、吸収性物品全体の構成によっては、吸収体３０の前後方向Ｄ１の中央に配置されていてもよい。
【００４０】
吸収体３０に含まれる材料としては、パルプ繊維の積繊体、セルロースアセテート等のフィラメントの集合体、不織布等であってよく、必要に応じて粒子状等の高吸収性ポリマーを混合、固着等してなるものを用いることができる。また、高吸収性ポリマー繊維や、高吸収性ポリマー粒子以外のポリマー粒子や無機粒子等を含んでいてもよい。
【００４１】
吸収体３０における繊維目付及び高吸収性ポリマーの目付は適宜定めることができる。後述の肉厚部を除いて、吸収体３０の繊維目付は平均で１００〜７００ｇ／ｍ2程度とするのが好ましく、また吸収性ポリマー目付は平均で５０〜５５０ｇ／ｍ2程度とするのが好ましい。
【００４２】
吸収体３０は、その全体が又は部分的に、不織布やクレープ紙等の包装シート２６（図１）で包まれていることが好ましい。包装シート２６の使用は、吸収体３０がポリマー粒子等の粒子状材料を含む場合には、材料のこぼれを含むことができ、特に好ましい。包装シートは、無着色（すなわち、白色）であってもよいし、着色されていてもよい。色は、排出された体液の色を目立たなくすることができる色、例えば体液の色に近い色、又は体液の色の補色若しくはそれに近い色等にすることができる。吸収体３０は複数層からなっている場合、各吸収体層が包装シートによって包まれていてもよいし、包装シートが層間に挟まれていてもよい。
【００４３】
また、図１に示すように、吸収体３０には、前後方向Ｄ１に延びるスリット５０、５０が設けられていてよい。スリット５０、５０があることによって、排出された体液を速やかに後方に誘導することができるので、体液排出口に対応する部分周辺での横漏れを防止することができる。また、図示の形態では、スリット５０、５０は、吸収体３０を厚み方向に貫通しているが、スリット５０、５０に代えて、トップシート２２側からバックシート２１側へ窪む溝を形成することもできる。
【００４４】
なお、図示の形態では、２つのスリットが形成されているが、吸収性物品１の使用目的に応じて、スリットは１つであってもよく、また３つ以上であってもよい。
【００４５】
次に、上述した吸収性物品における吸収体の構成についてさらに詳説する。
【００４６】
図２に、本発明の第１実施形態による吸収性物品１（図１）の吸収体３０を示す。図２（ａ）には、吸収体３０の上面図を、図２（ｂ）には、図２（ａ）のＸ１−Ｘ１線断面図を、図２（ｃ）及び図２（ｄ）にはそれぞれ、図２（ａ）のＹ１−Ｙ１線断面図及びＹ１'−Ｙ１'線断面図を示す。
【００４７】
図２（ａ）〜（ｄ）に示すように、吸収体３０は、後方領域Ｂ２に、幅方向Ｄ２に延在する帯状の肉厚部３５を有している。肉厚部３５は、吸収体３０の隣接する他の部分の厚みより大きい厚みを有する部分又は領域を指す。
【００４８】
特におむつ等の吸収性物品は、装着者が仰向けに寝た状態で使用されることが多いため、排出された体液は、吸収性物品１の後方（背側）に移行しやすい。そのため、一度に大量の体液が排出された場合には、吸収性物品１の背中側から体液が漏れること（いわゆる背漏れ）がある。なお、本明細書において、背漏れとは、後方領域から外部に向かう体液の漏れを指し、後端から後方向への体液の漏れのみならず、後方領域から斜後方向への漏れ及び側方向への漏れも含む。
【００４９】
これに対し、本形態では肉厚部３５を設けたことで、後方に移行してきた体液（尿、液状便、経血等）を堰き止め、肉厚部３０の後方及び／又は斜め後方に漏らさないようにすることができる。より具体的には、吸収体のトップシート側の面を伝って後方に移行してきた体液の流れを止めることができる。また、吸収体３０内に浸透して後方に拡散してきた体液も、厚みの大きい部分、すなわち吸収量の大きい部分に達するので、後方及び／又は斜め後方への体液の拡散速度を低下させることができる。
【００５０】
吸収性物品１を装着して仰向けに寝た場合、装着者の体重は、後方領域Ｂ１における幅方向Ｄ２端部よりも、幅方向Ｄ２中央にかかりやすい。そのため、後方領域Ｂ１（Ｂ２）に形成された帯状の肉厚部３５の上に装着者の身体が載った場合、肉厚部３５から受ける反力は、幅方向Ｄ２の端部よりも中央の部分において大きいため、その中央の部分から特に違和感を受けやすい。
【００５１】
これに対し、本形態によれば、肉厚部３５が、図３（ｂ）に示すように、幅方向Ｄ２中央から側部に向かって厚みが大きくなるように形成されている。図示の形態では、肉厚部３５の厚みは、幅方向Ｄ２中央から側部に向かって漸次大きくなっている。別の言い方をすると、肉厚部３５は、幅方向Ｄ２中央で厚み方向に窪んでいる。
【００５２】
このように、肉厚部３５が、幅方向Ｄ２中央で厚みが比較的小さく且つ幅方向Ｄ２端部で厚みが比較的大きくなっている形状を有することで、肉厚部３５があっても、幅方向Ｄ２の中央の部分から受ける違和感を低減することができる。これにより、上述の体液を堰き止めるという肉厚部３５の効果を維持しつつ、肉厚部３５から受け得る違和感を低減することができる。
【００５３】
さらに、肉厚部３５の厚みは漸次変化しているので、装着者の身体（背中）の丸みに沿うことができ、上記の違和感を一層低減させることができる。また、吸収体３０の製造において積繊をする際、肉厚部３５に対応させる型は、表面が階段状等ではなく滑らかなものとすることができるので、繊維が型の角張った部分に引っ掛かる可能性も低減でき、信頼性の高い吸収体の製造が可能となる。
【００５４】
肉厚部３５が設けられている後方領域Ｂ２は、図２（ａ）に示すように、中央領域Ｃ２に隣接する後方第１領域Ｂ２ａと、後方第１領域Ｂ２ａのさらに後方に位置する後方第２領域Ｂ２ｂとを有していてよい。後方第１領域Ｂ２ａは、装着者の臀部下部におおよそ対応する領域であり、第２後方領域Ｂ２ｂは、臀部上部におおよそ対応する領域である。ここで、臀部下部とは、臀部の、股間から続く臀裂が浅くなり始める、又は終了する位置までを指し、臀部上部とは、臀裂が浅くなり始める、又は終了する位置から上部（仙骨の下端から上に対応する部分）を指す。肉厚部３５は、後方第２領域Ｂ２ｂに設けられ、装着者の臀部上部に密着できるようになっていることが好ましい。
【００５５】
さらに、肉厚部３５は、図２（ａ）に示すように、吸収体３０の後端（後方第２領域Ｂ２ｂの後端）に沿って設けられていると好ましい。肉厚部３５が後端にあることで、体液を堰き止める作用効果は吸収体３０の最も後方で発揮されるので、後端よりも前方の吸収体を有効に活用することができる。
【００５６】
また、肉厚部３５が設けられている幅方向Ｄ２の範囲は、体液を堰き止めて後方に漏らさないよう構成されていれば特に限定されない。但し、肉厚部３５の幅方向Ｄ２の長さは、例えば５０〜４００ｍｍであると好ましい。また、図示の形態のように、肉厚部３５が、吸収体３０の幅方向Ｄ２の一方の端部から他方の端部まで延びていると、後方のみならず、斜め後方に向かう体液の漏れを防ぐ効果を向上できるため好ましい。
【００５７】
図２（ａ）〜（ｄ）に示すように、本形態の吸収体３０は、上面視で吸収体３０と同じ輪郭を有する吸収体主体３１と、吸収体主体３１の上に配置された肉厚部形成体３５ａとを有している。そして、肉厚部形成体３５ａが設けられた部分（領域）が、肉厚部３５となっている。換言すれば、本形態における肉厚部３５は、幅方向Ｄ２中央から側部に向かって厚みが大きくなるように形成されている別体の肉厚部形成体３５ａを配置することによって得ることができる。
【００５８】
肉厚部３５の構成は図示のものに限られず、例えば、吸収体主体３１と肉厚部形成体３５ａとは一体的に形成することもできる。すなわち、図示の吸収体主体３１と肉厚部形成体３５ａとの各部分を含む１つの吸収体を積繊し、加工することによって、吸収体３０を製造してもよい。また、吸収体主体の上面視形状が、肉厚部３５が占める領域を除いた形状を有するように形成し、一方で、吸収体３０の全厚み方向にわたる肉厚部形成体を形成して、両者を面方向に接合させてもよい。
【００５９】
また、図示の形態では、肉厚部形成体３５ａは吸収体主体３１の表面側（トップシート２２側）に設けられている。これにより、肉厚部３５が、装着者の肌側に突出することになるので、トップシート２２上を伝わってきた体液を効果的に堰き止めることができる。
【００６０】
肉厚部３５は、幅方向Ｄ２中央おいて最小厚みＴｍｉｎを有していると好ましく、図３に示すように、前後方向中心線ＣＬの位置において最小厚みＴｍｉｎを有しているとより好ましい。また、幅方向Ｄ２の両端にて最大厚みＴｍａｘを有していると好ましい。
【００６１】
肉厚部３５の最大厚みＴｍａｘは１５〜２５ｍｍ程度であると好ましく、最小厚みＴｍｉｎは、５〜１５ｍｍ程度であると好ましい。肉厚部３５の最小厚みＴｍｉｎと吸収体主体３１の厚みとの差は、０〜１０ｍｍであると好ましく、各値を、上記範囲とすることで、体液を堰き止めるという肉厚部３５による作用効果を維持しつつ、肉厚部３５が装着者の身体に当った時の違和感を低減することができる。
【００６２】
肉厚部３５の最大厚みＴｍａｘの、最小厚みＴｍｉｎに対する比の値（Ｔｍａｘ／Ｔｍｉｎ）は、３．０〜５．０程度とすることができ、好ましくは３．５〜４．５程度とすることができる。上記範囲とすることで、肉厚部３５の輪郭を、身体の丸みにより適合した形状とすることができる。
【００６３】
肉厚部３５又は肉厚部形成体３５ａは、吸収体主体３１と同じ材料で形成することもできるし、異なる材料で形成することもできる。肉厚部成形体３５ａと吸収体主体３１とを異なる材料で形成する場合、肉厚部形成体３５ａのポリマー目付を、吸収体主体３１のポリマー目付よりも高くすることで、肉厚部３５における体液が保持され逆戻りを防止できる。また、体液吸収後も肉厚部３５の元の形状を維持することができる。さらに、肉厚部形成体３５ａ（又は肉厚部３５全体）においては、ポリマー目付を繊維目付よりも大きくすることができる。これにより、体液の逆戻りの防止、及び体液吸収後の肉厚部３５の形状維持という上述の効果を一層向上させることができる。
【００６４】
図３に、本発明の第２実施形態における吸収体２３０を示す。図３（ａ）には、吸収体２３０の上面図を、図３（ｂ）には、図３（ａ）のＸ２−Ｘ２線断面図を、図３（ｃ）及び図３（ｄ）にはそれぞれ、図３（ａ）のＹ２−Ｙ２線断面図及びＹ２'−Ｙ２'線断面図を示す。
【００６５】
第２実施形態における吸収体２３０は、別途言及しない限り、第１実施形態における吸収体３０と同様の基本構成を有している。例えば、吸収体２３０は、後方領域Ｂ２、より好ましくは後方第２領域Ｂ２ｂに、肉厚部２３５を備えている（図３（ａ））。また、肉厚部２３５は、吸収体主体２３１と肉厚部形成体２３５ａとを有しており（図３（ａ）〜（ｄ））、幅方向Ｄ２中央から側部に向かって漸次厚みが大きくなるように形成されている（図３（ｂ））。
【００６６】
吸収体２３０は、図３（ｂ）〜（ｄ）に示すように、吸収体主体２３１が２層構造を有する点で、第１実施形態における吸収体３０と異なっている。吸収体１３０は、吸収体２３０全体と同じ上面視輪郭を有する裏面側吸収体層２３１Ｂと、この裏面側吸収体層２３１Ｂ上に配置された表面側吸収体層２３１Ａ及び肉厚部形成体２３５ａとの積層体となっている。表面側吸収体層２３１Ａは、裏面側吸収体層２３１Ｂより長さ及び幅が小さく、前後方向中心線ＣＬを含む位置に配置されている。
【００６７】
本形態では、吸収体２３０が２層構造になっていることで、吸収体２３０の表面側及び裏面側での機能を相違させることができる。また、図示のように、表面側及び裏面側において吸収体の平面視形状を異ならせることによって、領域に応じて、吸収体の機能を相違させること又は同じ機能であるがその度合いを相違させることが可能になる。よって、表面側吸収体層２３１Ａと裏面側吸収体層２３１Ｂとでは、用いる材料を同じくしてもよいし相違させてもよい。
【００６８】
なお、本形態では、吸収体２３０は２層構造を有しているが、吸収体２３０は３層以上とすることもできる。
【００６９】
吸収体２３０には、股間対応領域Ｃ２に、前後方向Ｄ１に延びる２つのスリット２５０が設けられている。このスリット２５０は、表面側吸収体層２３１Ａ及び裏面側吸収体層２３１Ｂを貫通するものであってもよいし、表面側吸収体層２３１Ａのみを貫通するものであってもよい。
【００７０】
図４に、本発明の第３実施形態における吸収体３３０を示す。図４（ａ）には、吸収体３３０の上面図を、図４（ｂ）には、図４（ａ）のＸ３−Ｘ３線断面図を、図４（ｃ）及び図４（ｄ）にはそれぞれ、図４（ａ）のＹ３−Ｙ３線断面図及びＹ３'−Ｙ３'線断面図を示す。
【００７１】
第３実施形態における吸収体３３０は、第１実施形態における吸収体３０と基本的な構成は同じである。吸収体３３０も、後方領域Ｂ２、好ましくは後方第２領域Ｂ２ｂに肉厚部３３５を有しており（図４（ａ））、肉厚部３３５は、吸収体主体３３１と、肉厚部形成体３３５ａとを有している（図４（ａ）〜（ｄ））。
【００７２】
吸収体３３０は、図４（ｂ）に示すように、肉厚部３３５は、幅方向Ｄ２中央から側部に向かって段階的に厚みが大きくなるように形成されている点で、第１実施形態における吸収体３０と異なる。
【００７３】
肉厚部３３５の厚みが段階的に変化していることで、吸収性物品の、肉厚部３３５が形成された領域を装着者の肌に当てた際、吸収性物品が幅方向Ｄ２に動きにくくなり、安定した装着状態を維持することができる。
【００７４】
図５に、本発明の第４実施形態における吸収体３３０を示す。図５（ａ）には、吸収体４３０の上面図を、図５（ｂ）及び（ｃ）には、図５（ａ）のＸ４−Ｘ４線断面図及びＸ４−Ｘ４'線断面図をそれぞれ示す。また、図５（ｄ）及び図４（ｅ）には、図５（ａ）のＹ４−Ｙ４線断面図及びＹ４'−Ｙ４'線断面図をそれぞれ示す。
【００７５】
第４実施形態における吸収体４３０も、第１実施形態における吸収体３０と同様、後方領域Ｂ２、好ましくは後方第２領域Ｂ２ｂに肉厚部４３５を有しており（図５（ａ））、肉厚部４３５は、吸収体主体４３１と、肉厚部形成体４３５ａとを有している（図５（ａ）〜（ｅ））。
【００７６】
吸収体４３０における肉厚部４３５は、幅方向Ｄ２のみならず、前後方向Ｄ１に厚みが異なっている点で、第１実施形態における吸収体３０と異なる。肉厚部４３５は、図５（ｄ）及び（ｅ）に示すように、後方にむかって漸次厚みが大きくなっている。肉厚部４３５は、具体的には、前後方向Ｄ１に沿って切った断面で見て、表面が傾斜した断面形状、例えば三角形状を有している。そして、図５（ｂ）、（ｄ）及び（ｅ）に示すように、肉厚部の最小厚みは、吸収体主体４３１の厚みと同じとなり得る。
【００７７】
本形態のように、肉厚部４３５が後方に向かう程厚みが大きくなっていることで、装着時に肉厚部４３５が肌に当った場合の違和感をさらに低減することができる。
【００７８】
この場合、前後方向中心線ＣＬの位置で切った断面（図５（ｄ））における、表面の傾斜の角度θは、２０〜４５°であると好ましい。θを上記範囲とすることで、体液を堰き止める肉厚部４３５の本来の作用効果を維持しつつ、装着時の違和感も低減することができる。
【００７９】
なお、肉厚部４３５の厚みは、後方に漸次大きくなるのではなく、後方に向かって段階的に大きくなっていてもよい。
【００８０】
また、吸収体４３０においては、肉厚部４３５の前後方向Ｄ１の長さは、幅方向Ｄ２中央と幅方向Ｄ２端部とで異なっている。例えば、図示の形態では、肉厚部４３５の前方の端部の輪郭が湾曲している。この輪郭は、図５（ａ）に示すように、後方に凸に湾曲する線に沿っていると好ましい。肉厚部４３５が、幅方向Ｄ２の両端でより長い長さを有することで、後斜め方向へ向かう体液の漏れも効果的に防止することができる。
【００８１】
なお、第４実施形態における吸収体４３０の後端付近においては、その幅はほぼ一定となっている（図５（ａ））。しかし、第１実施形態から第３実施形態（図１〜４）で示したように、吸収体３０の後端での幅は、後方領域Ｂ２の幅の平均より小さくなっていもよい。すなわち、吸収体３０は、その後端の両角隅が切り欠かれている形状を有していてもよい。吸収体の角隅は、他の部分よりも体液が浸透するまで時間を要する場合もあるので、角隅部分を切り欠くことにより、吸収体の材料の量を少なくし、製造コストを節約することができる。
【００８２】
図６に、上述の第４実施形態における吸収体４３０の変形例を示す。図６は、図５（ｄ）又は（ｅ）に対応する、吸収体４３０を前後方向Ｄ１に沿って切った断面図である。本例の肉厚部４３５'は、図５に示す形態と同様、後方に向かう程、厚みが大きくなるように形成されているが、前後方向Ｄ１で切った断面で見て、肉厚部４３５'の表面の輪郭が丸みを帯びている（曲線になっている）点で、図５の形態（図５（ｄ）及び（ｅ））とは異なる。
【００８３】
図６に示す肉厚部４３５'は段部になっているともいえる。しかし、その表面が曲面になっていることで、後方に移行してきた体液を堰き止める効果を維持する一方、装着時に肉厚部４３０の角が当たることによる違和感を防止することができる。
【００８４】
図７に、第５実施形態における吸収体５３０を示す。図７は、吸収体５３０の肉厚部５３５を幅方向Ｄ２に沿って切った断面を前方から後方に向かって見た図であり、例えば図２（ｂ）に対応する。図７では、吸収体５３０のうち、吸収体主体の図示を省略し、肉厚部形成体５３５ａのみを示す。
【００８５】
第５実施形態における吸収体５３０の基本的な構成は、第１実施形態における吸収体３０（図２）と同様であり、肉厚部形成体５３５ａは、幅方向両端において最も厚みが大きい形状を有する。本実施形態では、肉厚部５３５における剛性が、幅方向Ｄ２で異なっている点で、吸収体３０と異なる。
【００８６】
図７に示すように、肉厚部形成体５３５ａは、幅方向Ｄ２の中央に、すなわち厚みが最も小さい領域の付近に、高剛性部５３６を有している。なお、以下、幅方向Ｄ２中央に形成された高剛性部５３６を、中央高剛性部５３６Ｃとする。
【００８７】
このように、幅方向Ｄ２中央に中央高剛性部５３６Ｃを有していることで、肉厚部５３５の幅方向Ｄ２中央の部分が潰れにくくなる。装着者が仰向け状態で寝た状態が長時間続き、肉厚部に継続的に力がかかった場合等には、幅方向Ｄ２中央に特に力が掛りやすいが、その場合でも、本形態により、幅方向Ｄ２中央付近における肉厚部５３５の形状を維持することができる。これにより、肉厚部５３６が体液を堰き止める上述の効果を持続させることができる。
【００８８】
高剛性部５３６は、例えば、肉厚部形成体５３５ａにおいて高密度部分を形成することによって形成することができるし、高剛性部５３６は、肉厚部形成体５３５ａにおいて吸収体の材料を変更することによって形成することもできる。但し、高剛性部５３６を高密度部分とし、さらにこの高密度部分を、吸収体を圧縮することによって形成すると好ましい。これにより、同じ材料からなる均一な積繊体を用いて吸収体を形成することができるので、製造上の手間及びコストを低減することができる。
【００８９】
図８に、上記第５実施形態における吸収体５３０（図７）の変形例を示す。図８に示す例では、中央高剛性部５３６Ｃに加えて、幅方向Ｄ２の両端部にそれぞれ端縁高剛性部５３６Ｅ、３５６Ｅがさらに形成されている。端縁高剛性部５３６Ｅが形成されていることで、肉厚部５３５の幅方向Ｄ２端部の潰れにくくなっている。そのため、例えば装着者が横向きに寝た状態が長時間続いた場合等でも、幅方向Ｄ２端部においても肉厚部５３５の厚みを維持することができ、肉厚部５３５が体液を堰き止める効果を持続させることができる。この端縁高剛性部５３６Ｅは、幅方向Ｄ２のどちらか一方の端部に形成することもできる。
【００９０】
なお、図８に示す例では、端縁高剛性部５３６Ｅとなっている部分は厚みがほぼ均一な部分を有しているが、端縁高剛性部５３６Ｅが幅方向Ｄ２両端に設けられていても、図７に示した肉厚部形成部５３６ａと同様の断面形状を有していてもよい。
【００９１】
図７及び図８に示す例では、高剛性部５３６（中央高剛性部Ｃ及び端縁高剛性部Ｅ）内における剛性は均一であってよいが、高剛性部５３６内で、吸収体の厚み方向又は面方向に剛性が変化していてもよい。肉厚部形成体５３５ａ内における吸収体の剛性は、厚み方向又は面方向に漸次又は段階的に変化していてもよい。
【００９２】
以上のように第５実施形態として示した肉厚部が高剛性部を含む構成（図７及び図８）は、上述の第１実施形態から第４実施形態のいずれにおいても適用することができる。
【００９３】
次に、第５実施形態における吸収体５３０の製造方法について説明する。まず図９を参照して、中央高剛性部Ｃが形成されている吸収体５３０（図７）の製造方法について説明する。図９（ａ）〜（ｃ）は、図７の断面図と同様の断面図である。
【００９４】
図９（ａ）に示すように、肉厚部形成体５３５ａとなる積繊体５３５ａ'を準備する。本例においては、準備する積繊体５３５ａ'の厚みは、幅方向Ｄ２に均一であってよい。そして、積繊体５３５ａ'の面方向に対して直交する方向にプレス型Ｐ１を近付け、さらに積繊体５３５ａ'を圧縮する（図９（ｂ））。これにより、幅方向Ｄ２中央において所定の値以上の剛性又は硬さを有する中央高剛性部５３６Ｃが形成された、肉厚部形成体５３５ａを得ることができる（図９（ｃ））。
【００９５】
また、図１０を参照して、中央高剛性部Ｃ及び端縁高剛性部Ｅが形成されている吸収体５３０（図８）の製造方法について説明する。
【００９６】
図１０（ａ）に示すように、肉厚部形成体５３５ａとなる、凹凸を有する積繊体５３５ａ'を準備する。本例の積繊体５３５ａ'としては、図示のように、幅方向Ｄ２の中央及び両端部の厚みが大きくなっているものを用いる。幅方向Ｄ２の中央及び／又は両端部の厚みは、その位置で必要な圧縮度合い、ひいては必要な剛性に応じて適宜決定することができる。そして、積繊体５３５ａ'の面方向に対して直交する方向にプレス型Ｐ２を近付け、積繊体５３５ａ'を圧縮する（図１０（ｂ））。プレス型Ｐ２は、幅方向中央が凸である曲線の輪郭を有しているが、幅方向両端に平坦な部分を有する形状となっている。プレス型Ｐ２による圧縮により、幅方向Ｄ２中央及び両端部において、所定の値以上の剛性又は硬さを有する中央高剛性部５３６Ｃ及び端縁高剛性部５３６Ｅ、５３６Ｅがそれぞれ形成された、肉厚部形成体５３５ａを得ることができる（図１０（ｃ））。
【００９７】
なお、上述の例（図９及び図１０）では、肉厚部形成体５３５ａのみを圧縮する形態について説明したが、プレス型Ｐ１又はＰ２による圧縮は、吸収体主体となる層を含む積繊体を形成した後、その積繊体全体に対して行ってもよい。
【符号の説明】
【００９８】
１  吸収性物品
２１  バックシート
２２  トップシート
２４  ギャザーシート
２６  包装シート
３０、２３０、３３０  吸収体
３１、２３１、３３１、４３１  吸収体主体
２３１Ａ  表面側吸収体層
２３２Ｂ  裏面側吸収体層
３５、２３５、３３５、４３５、５３５  肉厚部
３５ａ、２３５ａ、３３５ａ、４３５ａ、５３５ａ  肉厚部形成体
５３６  高剛性部
５３６Ｃ  中央高剛性部
５３６Ｅ  端縁高剛性部
５０、２５０  スリット
Ｆ１  （吸収性物品の）前方領域
Ｆ２  （吸収体の）前方領域
Ｃ１  （吸収性物品の）股間対応領域
Ｃ２  （吸収体の）股間対応領域
Ｂ１  （吸収性物品の）後方領域又は臀部対応領域
Ｂ２  （吸収体の）後方領域又は臀部対応領域
Ｂ２ａ  （吸収体の）後方第１領域
Ｂ２ｂ  （吸収体の）後方第２領域
ＣＬ  前後方向中心線（第１方向Ｄ１に沿った中心線）
Ｄ１  前後方向（第１方向）
Ｄ２  幅方向（第２方向）
Ｐ１、Ｐ２  プレス機の型
【図１】
2020044252.tif 000003
【図２】
2020044252.tif 000004
【図３】
2020044252.tif 000005
【図４】
2020044252.tif 000006
【図５】
2020044252.tif 000007
【図６】
2020044252.tif 000008
【図７】
2020044252.tif 000009
【図８】
2020044252.tif 000010
【図９】
2020044252.tif 000011
【図１０】
2020044252.tif 000012